(57)【要約】【課題】  ＣｄＳ光導電セルを用いることなく、ＣｄＳ光導電セルと略同等な光特性を持つ回路を簡単な構成で実現した点灯装置と、この点灯装置と照明負荷とを備えた照明装置と、この照明装置を装着する本体とを備えた照明器具と、を提供する。【解決手段】  少なくとも外光の明るさに応じた電圧を発生する第１の光起電力素子１ａと、第１の光起電力素子１ａに直列に接続される第１のインピーダンス素子１ｂと、直列回路の中点１ｄからの電圧を周囲の明るさを反映する信号として出力する照度センサ部１と、照度センサ部１の出力信号を受けて照明負荷２へ制御信号を出力する制御部３と、を備えた点灯装置１０において、第１の光起電力素子１ａは、外光の変化に対して略直線的に変化する電圧を出力するものであって、第１の光起電力素子１ａと並列に少なくとも１つの第２のインピーダンス素子１ｃを接続している。【選択図】図１
2006190623.tif 000002
【特許請求の範囲】
【請求項１】
少なくとも外光の明るさに応じた電圧を発生する第１の光起電力素子と第１の光起電力素子に直列に接続される第１のインピーダンス素子とを有し直列回路の中点からの電圧を周囲の明るさを反映する信号として出力する照度センサ部と、照度センサ部の出力信号を受けて照明負荷へ制御信号を出力する制御部と、を備えた点灯装置において、第１の光起電力素子は、外光の変化に対して略直線的に変化する電圧を出力するものであって、第１の光起電力素子と並列に少なくとも１つの第２のインピーダンス素子を接続したことを特徴とする点灯装置。
【請求項２】
第１のインピーダンス素子、第１の光起電力素子、及び外光の変化に対して曲線状に変化する電圧を出力する第２の光起電力素子は、それぞれリード線を有するとともに、第１のインピーダンス素子のリード線を第１の光起電力素子のリード線に接続し、第１の光起電力素子のリード線は、リード線に対応するプリント基板上のリード線挿入穴に挿入可能であり、該リード線挿入穴には、第１の光起電力素子に代えて、第２の光起電力素子のリード線が挿入可能であることを特徴とする請求項１に記載の点灯装置。
【請求項３】
第２のインピーダンス素子と直列に、第１の光起電力素子が発生する電圧の温度依存性を補正する感温素子をさらに接続したことを特徴とする請求項１又は２に記載の点灯装置。
【請求項４】
請求項１から３までのいずれかに記載の点灯装置と、点灯装置から電力が供給される照明負荷と、を備えたことを特徴とする照明装置。
【請求項５】
請求項４に記載の照明装置と、照明装置を装着する器具本体と、を備えたことを特徴とする照明器具。
【発明の詳細な説明】
【技術分野】
【０００１】
本発明は、周囲の明るさを検出して照明負荷を制御する点灯装置と、この点灯装置と照明負荷とを備えた照明装置と、この照明装置を装着する本体とを備えた照明器具に関する。
【背景技術】
【０００２】
従来から、周囲の明るさを検出し、周囲の明るさが規定値以下になると照明負荷を点灯させるようにした点灯装置が提供されている。そして、この周囲の明るさを検出する受光素子（光導電セル）として、ＣｄＳ（硫化カドミウム）やＣｄＳ・Ｓｅ（硫化カドミウムセレン）、Ｃｄ・Ｓｅ（セレン化カドミウム）などのＣｄ（カドミウム）を含んだ光導電セルが使われてきた。しかしながら、ＣｄＳなどはＣｄを含有しているため、ＣｄＳあるいはＣｄＳを組み込んだ機器などを廃棄処分する場合に、環境への影響が問題になる。
【０００３】
そこで、特開２０００−１００５７９号公報においては、環境への影響を少なくするため、ＣｄＳに代えて、人の視感度特性に近い分光感度特性を有するとともに、複数の太陽電池から構成される光起電力素子を用いた自動点滅器が開示されている。この自動点滅器においては、光起電力素子を構成する太陽電池のセルの個数を変化させることによって、光起電力素子の出力電圧を変化させ、照明負荷を点灯させる際の明るさの規定値を容易に可変することができる。
【０００４】
また、特開平１０−２７０１７８号公報においては、周囲の明るさを検出する検出分解能が適した状態になるように、入射光量に応じて、素子出力を増幅する回路の増幅率を可変させたり、素子の受光量を可変させたり、あるいは素子の受光角度を可変させたりして、素子の感度を調整している。そして、素子の感度を調整することによって、精度よく周囲の明るさを検出することができる照明装置を提供している。
【０００５】
特にフォトＩＣ（フォトセンサモジュール）ダイオードやフォトダイオード、フォトトランジスタ及びフォトダーリントントランジスタは、入射光量に対してリニアな出力特性である、すなわち、外光の変化に対して略直線的に変化する電圧を出力するので、低照度から高照度まで広い照度範囲を精度よく検出するには、特開平１０−２７０１７８号公報に開示の方法は有効である。
【特許文献１】特開２０００−１００５７９号公報
【特許文献２】特開平１０−２７０１７８号公報
【発明の開示】
【発明が解決しようとする課題】
【０００６】
ＣｄＳ光導電セルが用いられた既存の照明装置において、環境への配慮のために、ＣｄＳ光導電セルに代えて、たとえば、上述した太陽電池のセルに変更する場合、ＣｄＳに代わる太陽電池のセルのコストが高いばかりか、大幅な回路設計変更が必要となる。また、ＣｄＳと太陽電池で構成される光起電力素子との構造の違いから、周囲の明るさを検出する受光面の構造設計にも影響を与え、照明装置の大型化につながる場合もある。
【０００７】
さらに、既存の照明装置がＣｄＳ光導電セルと分圧用抵抗の直列回路の中点から生成される電圧信号を周囲の明るさ検出信号とする回路で構成されている場合において、環境への配慮のため、ＣｄＳ光導電セルに代えて、Ｓｉ（シリコン）材料を使用したフォトＩＣダイオードなどの受光素子を用いる場合、特開平１０−２７０１７８号公報に開示のもののように入射光量に応じて、素子の感度を調整する機能を別途追加しなければならない。
【０００８】
なぜなら、図６（ａ）に示すように、ＣｄＳで構成された周囲の明るさ検出信号（照度センサ信号）は、入射光量に対して徐々に出力が飽和する対数関数的な出力特性であるのに対し、同じく図５（ａ）に示すようにＳｉ材料を使用したフォトＩＣダイオードなどの受光素子で構成された検出信号（照度センサ信号）は、入射光量に対してリニアな出力特性であるため、単純な素子変更だけでは出力特性にずれが生じてしまうからである。
【０００９】
本発明は、上記問題点に鑑みてなされたものであり、その目的とするところは、ＣｄＳ光導電セルを用いることなく、ＣｄＳ光導電セルと略同等な光特性を持つ回路を簡単な構成で実現した点灯装置と、この点灯装置と照明負荷とを備えた照明装置と、この照明装置を装着する本体とを備えた照明器具と、を提供することにある。
【課題を解決するための手段】
【００１０】
請求項１に記載の点灯装置は、少なくとも外光の明るさに応じた電圧を発生する第１の光起電力素子と第１の光起電力素子に直列に接続される第１のインピーダンス素子とを有し直列回路の中点からの電圧を周囲の明るさを反映する信号として出力する照度センサ部と、照度センサ部の出力信号を受けて照明負荷へ制御信号を出力する制御部と、を備えた点灯装置において、第１の光起電力素子は、外光の変化に対して略直線的に変化する電圧を出力するものであって、第１の光起電力素子と並列に少なくとも１つの第２のインピーダンス素子を接続したことを特徴とする。
【００１１】
請求項２に記載の点灯装置は、請求項１に記載の点灯装置において、第１のインピーダンス素子、第１の光起電力素子、及び外光の変化に対して曲線状に変化する電圧を出力する第２の光起電力素子は、それぞれリード線を有するとともに、第１のインピーダンス素子のリード線を第１の光起電力素子のリード線に接続し、第１の光起電力素子のリード線は、リード線に対応するプリント基板上のリード線挿入穴に挿入可能であり、該リード線挿入穴には、第１の光起電力素子に代えて、第２の光起電力素子のリード線が挿入可能であることを特徴とする。
【００１２】
請求項３に記載の放電灯点灯装置は、請求項１又は２に記載の点灯装置において、第２のインピーダンス素子と直列に、第１の光起電力素子が発生する電圧の温度依存性を補正する感温素子をさらに接続したことを特徴とする。
【００１３】
請求項４に記載の照明装置は、請求項１から３までのいずれかに記載の点灯装置と、点灯装置から電力が供給される照明負荷と、を備えたことを特徴とする。
【００１４】
請求項５に記載の照明器具は、請求項４に記載の照明装置と、照明装置を装着する器具本体と、を備えたことを特徴とする。
【００１５】
なお、本明細書において、インダクタやコンデンサなどの電気部品の接続態様について言及するとき、用語「接続」は、２つ、あるいはそれ以上の電気部品の間に、追加の部品を含み得る導電路が存在するものとする。たとえば、インダクタンスの一端がコンデンサの一端と接続されるという場合、インダクタンスとコンデンサとの間に、本発明の作用効果に実質的に関係ない他の電気部品が接続されていても、インダクタンスの一端がコンデンサの一端に接続されているというものとする。
【００１６】
また、用語「略直線的に変化する」とは、照度などに反映される外光の変化に対して、第１の光起電力素子の発生する電圧が実質的に比例関係にあればよいことを意味する。特に、Ｃｄを含む光起電力素子の発生する電圧との関係において、外光―発生電圧の特性曲線の任意の２点での（発生電圧の変化量）／（外光の変化量）の値の差が、Ｃｄを含む光起電力素子よりも第１の光起電力素子の方が小さい場合も、第１の光起電力素子は、外光の変化に対して略直線的に変化する電圧を出力するというものとする。
【００１７】
さらに、用語「照明負荷を制御する」とは、電源回路部が出力する電流や電圧、又は点灯回路部が出力する電流や電圧を増減させることによって、照明負荷を実質的に消灯させたり、照明負荷に供給する電力を増減させる、すなわち、調光させたり、あるいは、照明負荷を間歇発振させる制御を含むものとする。
【発明の効果】
【００１８】
以上、請求項１に記載の点灯装置においては、第１の光起電力素子として、外光の変化に対して略直線的に変化する電圧を出力するものを使用し、この第１の光起電力素子と並列に少なくとも１つの第２のインピーダンス素子を接続しているので、特に外光の明るさが暗い領域において、外光の変化に対して、第１の光起電力素子と第１のインピーダンス素子とから構成される直列回路の中点から出力される電圧値を大きくすることができる。
【００１９】
また、請求項２に記載の点灯装置においては、第１の光起電力素子に対応するリード線挿入穴には、第１の光起電力素子に代えて、外光の変化に対して曲線状に変化する電圧を出力する第２の光起電力素子が挿入可能であるので、一対の同一のリード線挿入穴で２つの特性の異なる素子に対応することができ、プリント基板の共用化を図ることができる。
【００２０】
さらに、請求項３に記載の点灯装置においては、第２のインピーダンス素子と直列に、第１の光起電力素子が発生する電圧の温度依存性を補正する感温素子をさらに接続しているので、第１の光起電力素子の周囲温度の変化に影響を受けることなく、外光の明るさが暗い領域において、直列回路の中点から出力される電圧値を上昇補正することができる。
【発明を実施するための最良の形態】
【００２１】
（実施例１）
以下、本発明の第１の実施の形態を図１から図７までを参照して説明する。図１は本実施の形態の回路図を示しており、図２は本実施の形態の照明装置の斜視図を示している。また、図３は照度センサ部にＣｄＳ光導電セルを用いている場合の回路図を示しており、図４は本実施の形態の変形例を示している。さらに、図５は本実施の形態の動作を表すタイミングチャートを示しており、図６は照度センサ部にフォトＩＣダイオード及びＣｄＳ光導電セルをそれぞれ用いた場合の外光―発生電圧の特性図を示している。さらにまた、図７はフォトＩＣダイオードとＣｄＳ光導電セルとの交換が可能なプリント基板の断面を示している。
【００２２】
以下、各部の構成を説明する。
【００２３】
本発明の点灯装置１０は、交流電源１２を入力として、点灯回路部１４に直流電圧を出力する電源回路部１３と、電源回路部１３からの直流電圧を高周波電力に変換して照明負荷２に供給する点灯回路部１４と、点灯回路部１４を制御する制御部３と、人間などの検知対象の有無を検知して該検知信号を制御部３に送信する人体センサ部１５と、外光の明るさを検出して、該検出信号を制御部３に送信する照度センサ部１と、を備えている。
【００２４】
この点灯装置１０の構成をさらに、詳しく説明する。
【００２５】
電源回路部１３は、点灯回路部１４に印加する直流電源電圧を生成するものであり、全波整流回路（図示しない）や、昇圧チョッパ回路（図示しない）などを備え、ＡＣ１００Ｖ、又は２００Ｖなどの商用の交流電源１２からの交流電圧を整流し、整流された電圧を昇圧している。なお、交流電源１２の大きさに応じて、昇圧チョッパ回路の代わりに、降圧チョッパ回路、あるいは昇降圧チョッパ回路、昇圧チョッパ回路と降圧チョッパ回路とを直列に接続した回路を用いてもよい。また、この電源回路部１３は、ＩＰＤ（インテリジェントパワーデバイス）降圧回路（図示しない）を備え、ＩＰＤ降圧回路は、電源回路部１３の４００Ｖ程度の出力電圧を、たとえば、１５Ｖの直流電圧Ｖｄｄに変換している。このようなＩＰＤ降圧回路としては、たとえば、松下電器産業株式会社製のスイッチング電源用ＭＩＰシリーズを用いればよい。
【００２６】
点灯回路部１４は、照明負荷２に高周波の電力を供給するものであり、本実施の形態では、ハーフブリッジ形のインバータ回路（図示しない）を用いている。しかしながら、点灯回路部１４は、電源回路部１３からの直流電圧を異なる高周波の電圧（略２０ｋＨｚ〜略２００ｋＨｚの一定の周期を持った電圧）に変換するものであれば、いかなるものでもよい。たとえば、フルブリッジ形、一石形、並列形、プッシュプル形などの任意のインバータ回路でよい。
【００２７】
照明負荷２は、本発明の光源となるものであり、本実施の形態においては、電球型の蛍光灯を用いている。しかしながら、照明負荷２は、白熱灯や、一般照明用の蛍光灯や、殺菌灯、カラー照明用の蛍光灯、熱陰極形蛍光灯、冷陰極形蛍光灯だけではなく、放電現象に起因して発光する全ての発光手段を含む概念である。また、形状も主にダウンライトの器具に用いられるコンパクト型のものでもよい。
【００２８】
人体センサ部１５は、人体の存在を検知し、該検知信号を制御部３に出力するものであり、照明負荷２とともに、１つの器具本体１１に収納保持されている。また、図２に示す器具本体１１は室内の床面から、たとえば、１．５ｍ程度の高さの位置で壁面などに固定されている。このような人体センサ部１５として本実施の形態では、人体が発する微弱な赤外線（７〜２０μｍ程度の波長）を検出する焦電型センサを用いている。
【００２９】
制御部３は、人体センサ部１５や照度センサ部１からの信号を受けて、照明負荷２を点灯制御する制御信号を点灯回路部１４に送信するものである。この制御部３は、マイクロコンピュータ３ａ（以下、マイコンという。）などから構成され、そのメモリに格納された動作プログラムに従い、点灯回路部１４などを駆動制御する。このようなマイコン３ａとして、たとえば、ＳＴマイクロエレクトロニクス社製のＳＴ７２Ｇシリーズを用いればよい。なお、マイコン３ａの制御内容については後述する。
【００３０】
また、マイコン３ａの一方のＡ／Ｄポートには、照度センサ部１からの電圧制御信号が、抵抗３Ｒ１及びコンデンサ３Ｃ１によって平滑され、入力されている。さらに、照明負荷２を点灯させるかどうかの明るさのレベルをロータリボリューム３ｂにて設定（以下、ロータリボリューム３ｂにて設定されるレベルを点灯開始照度設定値という。）し、該点灯開始照度設定値が、抵抗３Ｒ２及びコンデンサ３Ｃ２を介して、他方のマイコン３ａのＡ／Ｄポートに入力されている。このとき、マイコン３ａの他方のＡ／Ｄポートには、電源回路部１３が有するＩＰＤ降圧回路からの電圧を最大電圧Ｖｄｄとして、フィルタ回路である抵抗３Ｒ２及びコンデンサ３Ｃ２を介して、０〜Ｖｄｄの電圧信号として入力される。
【００３１】
照度センサ部１は、周囲の明るさを反映する信号を制御部３に出力するものであり、少なくとも外光の明るさに応じた電圧を発生する第１の光起電力素子１ａと第１の光起電力素子１ａに直列に接続される第１のインピーダンス素子１ｂとを有し、さらに、第１の光起電力素子１ａと並列に少なくとも１つの第２のインピーダンス素子１ｃが接続されている。そして、光が照射されることによって、この第１の光起電力素子１ａと第１のインピーダンス素子１ｂとの直列回路の中点１ｄに生じる電圧が、周囲の明るさを反映する信号として、制御部３に送信される。
【００３２】
なお、本実施の形態では、第１の光起電力素子１ａとして、外光の明るさに応じた電圧を発生し、かつ、外光の変化に対して略直線的に変化する電圧を出力するフォトＩＣダイオードを用いているが、第１の光起電力素子１ａとしては、図４（ａ）に示すようにフォトトランジスタ１ｅであってもよいし、図４（ｂ）に示すようにフォトダーリントントランジスタ１ｆであってもよい。また、本実施の形態においては、第１のインピーダンス素子１ｂ及び第２のインピーダンス素子１ｃとして、抵抗を用いているが、第１のインピーダンス素子１ｂ及び第２のインピーダンス素子１ｃとしては、インピーダンス成分を有する素子であれば、他の素子でも構わない。
【００３３】
そして、電源回路部１３、点灯回路部１４、人体センサ部１５、制御部３、及び照度センサ部１によって、点灯装置１０が構成されており、この点灯装置１０は、図２に示すように、器具本体１１の内部に収納されている。また、この点灯装置１０と点灯装置１０から電力が供給される照明負荷２によって照明装置が構成されている。さらに、器具本体１１は照明器具１２の一部を構成しており、この照明器具１２は、下方に開口部を有する円筒状であって、照明負荷２の周囲を囲っているアクリル製のカバー１６と、器具本体１１とから構成されている。なお、器具本体１１の下方の人体や床の照度などを検出できるように、室内の底面を臨む位置に人体センサ部１５及び照度センサ部１がそれぞれ設けられている。
【００３４】
つぎに、照度センサ部１の機能について説明する。
【００３５】
図３に示すように、まず、照度センサ部１がＣｄＳ光導電セル１ｇを用いて構成されている場合を考える。この場合、ＣｄＳ光導電セル１ｇと第１のインピーダンス素子１ｂとの直列回路が直流電圧Ｖｄｄと回路グランド（この回路グランドには、ロータリボリューム３ｂなども接続されており、点灯装置を構成する各電子部品の共通線となる。）との間に接続され、入射光量により変化するＣｄＳ光導電セル１ｇの抵抗値と、第１のインピーダンス素子１ｂとの分圧による電圧信号が制御部３内のマイコン３ａの一方のＡ／Ｄポートに、照度センサ部１の出力信号電圧（以下、照度センサ信号と呼ぶ）として入力される。一方、照明負荷２を点灯させるかどうかの明るさの点灯開始照度設定値をロータリボリューム３ｂにて設定し、マイコン３ａの他方のＡ／Ｄポートに０〜Ｖｄｄの電圧信号として入力している。
【００３６】
この動作を図５に示すタイミングチャートにて説明する。照明負荷２が消灯している状態において、人体センサ部１５にて検知された出力信号がマイコン３ａに入力されたとき、照度センサ信号が点灯開始照度設定値よりも高ければ（図５のａ及びｂ点）、マイコン３ａにより消灯制御と判断され、照明負荷２は消灯のままとなる。図５のｃ点時のように、人体センサ部１５にて検知された出力信号がマイコン３ａに入力されたとき、照度センサ信号が点灯開始照度設定値よりも低ければ、マイコン３ａは照明負荷２を点灯させると判断し、制御部３より出力される点灯制御信号を受けた点灯回路部１４によって照明負荷２が所定時間点灯される。ロータリボリューム３ｂによる点灯開始照度の設定範囲は、ＣｄＳ光導電セル１ｇで構成された照度センサ信号の出力特性を考慮し、約５〜１００ルクスに設定されている。
【００３７】
つぎに、図１に示すように、ＣｄＳ光導電セル１ｇをフォトＩＣダイオードである第１の光起電力素子１ａと抵抗である第２のインピーダンス素子１ｃとの並列接続に置き代えた場合を考える。照度センサ信号はフォトＩＣダイオード１ａへの入射光量により出力電流が変化し、第１のインピーダンス素子１ｂにより電圧信号に変換されてマイコン３ａのＡ／Ｄポートに入力される。低照度時になるとフォトＩＣダイオード１ａの出力電流が減少することによって、照度センサ信号が小さくなる。図６（ａ）は、フォトＩＣダイオード１ａと並列に第２のインピーダンス素子１ｃである抵抗が接続されていない場合の照度センサ信号の出力を示しており、
図６（ｂ）は、フォトＩＣダイオード１ａと並列に抵抗１ｃが接続されている場合の照度センサ信号の出力を示している。なお、この抵抗１ｃの値は抵抗１ｂの値よりも大きく設定している。
【００３８】
ここで、ＣｄＳ光導電セル１ｇを単にフォトＩＣダイオード１ａに置き換えても、図６（ａ）に示すように、特に周囲の明るさが暗い場合に、フォトＩＣダイオード１ａの照度センサ信号がＣｄＳ光導電セル１ｇのそれよりも小さいために、ＣｄＳ光導電セル１ｇと同等の出力特性とはならない。そこで、フォトＩＣダイオード１ａと並列に抵抗１ｃを接続し、フォトＩＣダイオード１ａの見かけ上の抵抗値を小さくする。すなわち、抵抗１ｂに印可される電圧を大きくし、図６（ｂ）に示すように、周囲の明るさが暗い領域における照度センサ信号を上昇補正してやる。このように、抵抗１ｂによって、フォトＩＣダイオード１ａの照度センサ信号を上昇補正してやると、ＣｄＳ光導電セル１ｇの照度センサ信号と略同等の特性に近似することができる。
【００３９】
なお、抵抗１ｃの値が抵抗１ｂの値に比べて小さすぎる場合、フォトＩＣダイオード１ａと並列に抵抗１ｃを接続しても、フォトＩＣダイオード１ａの見かけ上の抵抗値は余り変化しない。したがって、周囲の明るさが暗い場合における照度センサ信号を上昇補正することができない。そこで、抵抗１ｃの定数は、抵抗１ｃ＞抵抗１ｂ×１０に設定しておくことが望ましい。
【００４０】
また、図７は、抵抗１ｃが並列接続されたフォトＩＣダイオード１ａのリード線７と、ＣｄＳ光導電セル１ｇのリード線７と、のどちらのリード線７でも挿入可能な一対のリード線挿入穴９を有するプリント基板８の断面図を示している。ここで、抵抗１ｃは、ＣｄＳ光導電セル１ｇとフォトＩＣダイオード１ａとが交換された場合にも、照度センサ信号の出力電圧値が略同等となるように定数を適宜設定している。そして、このフォトＩＣダイオード１ａ、又はＣｄＳ光導電セル１ｇには、図７に示すように、一対の下斜め向きであって、横方向に広がろうとするリード線７が設けられている。
【００４１】
このフォトＩＣダイオード１ａ又はＣｄＳ光導電セル１ｇをリード線挿入穴９に挿入するには、まず、フォトＩＣダイオード１ａ又はＣｄＳ光導電セル１ｇのリード線７を１対の断面逆く字状であって、弾性分岐部材である金属片１７の外方向に広がる、逆く字状の略先端部分に係合させる。つぎに、上方からフォトＩＣダイオード１ａ又はＣｄＳ光導電セル１ｇを押圧していくと、金属片１７は、互いに弾力により付勢され、外側に広がろうとするフォトＩＣダイオード１ａのリード線７と弾性係合しながら滑り降り、逆く字状の頂点の方向に向かい、頂点に至る。なぜなら、逆く字状の頂点に至るまでに、金属片１７が次第に狭くなっているからである。そして、さらに押圧していくと、リード線７は金属片１７の頂点を超え、リード線挿入穴９に挿入され、横方向に広がろうとするリード線７が金属片１７を押圧するので、フォトＩＣダイオード１ａはしっかりと固定されることとなる。このとき、リード線７の任意の部分は、金属片１７の逆く字状の頂点と接触する。
【００４２】
すなわち、この逆く字状の金属片１７は、フォトＩＣダイオード１ａ又はＣｄＳ光導電セル１ｇをリード線挿入穴９に導くためのガイド機能を果たしている。なお、金属片１７は、銅もしくは他の適当な弾性導体の導電材料で作る。
【００４３】
このように、リード線挿入穴９に、逆く字状の金属片１７を設けておくと、フォトＩＣダイオード１ａ又はＣｄＳ光導電セル１ｇをプリント基板８に着脱する際のリード線７の破損も回避することができる。そして、リード線挿入穴９や金属片１７を以上のような構成にしておくと、同一の一対のリード線挿入穴９で２つの異なる素子に対応することができ、両者を簡単に交換することができる。したがって、開発当初は、点灯装置１０のコストダウンのためにＣｄＳ光導電セル１ｇを採用していたが、環境問題が生じたために、フォトＩＣダイオード１ａなどに変更する必要が生じた場合でも、ＣｄＳ光導電セル１ｇをリード線挿入穴９から引き抜き、代わりに、フォトＩＣダイオード１ａを挿入するだけで、簡単に両者を交換することができる。しかも、フォトＩＣダイオード１ａのリード線７には、抵抗１ｃが半田などで並列接続されているので、ＣｄＳ光導電セル１ｇをフォトＩＣダイオード１ａに交換した場合に特性が変化することもない。
【００４４】
また、フォトＩＣダイオード１ａとＣｄＳ光導電セル１ｇとの形状を同一端子数であって、パッケージが、たとえば、トップビューパッケージとして、受光面が同一となるようプリント基板８の表面に実装してもよい。そして抵抗１ｃとして面実装部品を採用し、フォトＩＣダイオード１ａが使用される場合にのみ、抵抗１ｃをフォトＩＣダイオード１ａと並列接続になるようにプリント基板８の裏面に実装する。そして、ＣｄＳ光導電セル１ｇが実装されている場合には、抵抗１ｃを未実装とする。このようにしても、抵抗１ｂによって、フォトＩＣダイオード１ａの照度センサ信号を上昇補正することができ、フォトＩＣダイオード１ａの照度センサ信号をＣｄＳ光導電セル１ｇの照度センサ信号と略同等の特性に近似することができる。
【００４５】
以上、本実施の形態によれば、環境問題でＣｄＳ光導電セルが使えなくなった場合においても、ＣｄＳ光導電セルと略同等な光特性を持つ回路を簡単な構成で実現することができ、ＣｄＳ光導電セルを容易に交換することができる。
【００４６】
（実施例２）
以下、本発明の第２の実施の形態を図８及び図９を参照して説明する。図８は本実施の形態の回路図を示しており、図９は本実施の形態の変形例を示している。ここで、第１の実施の形態と同一構成には同一符号を付すことにより説明を省略する。
【００４７】
本実施の形態の特徴は、第１の光起電力素子１ｅであるフォトトランジスタと並列に、第２のインピーダンス素子１ｃである抵抗と感温素子１ｈであるＰＴＣサーミスタとの直列回路を接続したことである。フォトトランジスタ１ｅは安価だが、照度センサ信号の温度依存性が大きく、高温時には出力電流が増大する特性がある。したがって、抵抗１ｂに流れる電流も増大し、抵抗１ｂにかかる電圧が上昇する。そこで、この抵抗１ｂにかかる電圧上昇を相殺するために、高温時には抵抗値が増大する特性を持つＰＴＣサーミスタ１ｈを用いるのである。ＰＴＣサーミスタ１ｈを用いることで、直列回路の中点１ｄの電圧を周囲温度の変動に関らず、略一定にすることができる。ＰＴＣサーミスタ１ｈとして、本実施の形態では、Ｔａ（周囲温度）＝略６５℃で動作するものを用いている。感温素子１ｈとして、その他、温度上昇に応じて抵抗値が増加する特性のもの、たとえば、松下電器産業株式会社製の感温抵抗ＥＲＳシリーズを用いてもよい。
【００４８】
このように感温素子１ｈを用いると、周囲温度の影響を受けることなく、周囲の明るさが暗い場合における照度センサ信号を上昇補正することができ、照度センサ信号を上昇補正すると、ＣｄＳ光導電セル１ｇの照度センサ信号と略同等の特性に近似することができる。
【００４９】
なお、図８における本実施の形態では、第１の光起電力素子１ｅとして、フォトトランジスタを用いたが、第１の光起電力素子１ｅとして、図９に示すようにフォトダーリントントランジスタ１ｆを用いてもよい。
【００５０】
また、図７に示したようにフォトトランジスタ１ｅに、ＰＴＣサーミスタ１ｈと抵抗１ｃとの直列回路を接続し、ＣｄＳ光導電セル１ｇと交換可能にしてもよいし、ＰＴＣサーミスタ１ｈと抵抗１ｃとに面実装部品を採用し、これらのプリント基板８の裏面に実装してもよい。さらに、面実装タイプのＰＴＣサーミスタ１ｈに代えて、面実装タイプの感温抵抗１ｈを用いてもよい。
【００５１】
なお、本実施の形態で特に言及していない作用・効果などは、第１の実施の形態と同様である。
【図面の簡単な説明】
【００５２】
【図１】第１の実施の形態に係る点灯装置を示す回路図である。
【図２】第１の実施の形態に係る照明器具を示す斜視図である。
【図３】照度センサ部にＣｄＳ光導電セルを用いている場合を示す回路図である。
【図４】第１の実施の形態に係る点灯装置の変形例を示す回路図である。
【図５】第１の実施の形態の動作を表すタイミングチャートである。
【図６】照度センサ部にフォトＩＣダイオード及びＣｄＳ光導電セルをそれぞれ用いた場合の外光―発生電圧を示す特性図である。
【図７】フォトＩＣダイオードとＣｄＳ光導電セルとの交換が可能なプリント基板の断面を示す断面図である。
【図８】第２の実施の形態に係る点灯装置を示す回路図である。
【図９】第２の実施の形態に係る点灯装置の変形例を示す回路図である。
【符号の説明】
【００５３】
１ａ、１ｅ、１ｆ  第１の光起電力素子
１ｂ              第１のインピーダンス素子
１ｄ              直列回路の中点
１                照度センサ部
２                照明負荷
３                制御部
１ｃ              第２のインピーダンス素子
７                リード線
８                プリント基板
９                リード線挿入穴
１ｈ              感温素子
１０              点灯装置
１１              器具本体
１２              照明器具
【図１】
2006190623.tif 000003
【図２】
2006190623.tif 000004
【図３】
2006190623.tif 000005
【図４】
2006190623.tif 000006
【図５】
2006190623.tif 000007
【図６】
2006190623.tif 000008
【図７】
2006190623.tif 000009
【図８】
2006190623.tif 000010
【図９】
2006190623.tif 000011